(57)【要約】【課題】強度が高く、破損しにくく、冬場でも断熱効率が良い浴室床上げ構造および浴室床上げ方法を提供する。【解決手段】浴室の浴槽２の脇の排水溝３および排水口４に沿って、排水溝３および排水口４と洗い場１との間に、洗い場１の床１ａに対して垂直上方に立ち上がるよう区画板１２を設ける。洗い場１の床１ａの上に、複数の断熱ブロック１１を並べて配置する。各断熱ブロック１１の隙間および各断熱ブロック１１と区画板１２との隙間を埋めるよう、耐水性の樹脂モルタル１３を打設する。各断熱ブロック１１および樹脂モルタル１３の上に、耐水性の接着剤により樹脂製の下地板１４を貼り付ける。下地板１４の上に、床板材１５を設ける。浴槽２と区画板１２との間に、排水溝３および排水口４を排水可能に覆うよう複数の排水蓋１６を配置する。【選択図】図１
2010285833.tif 000002
【特許請求の範囲】
【請求項１】
浴室の洗い場の床の上に配置された複数の断熱ブロックと、
各断熱ブロックの隙間を埋めるよう設けられた耐水性の樹脂モルタルと、
各断熱ブロックおよび前記樹脂モルタルの上に耐水性の接着剤により貼り付けられた樹脂製の下地板と、
前記下地板の上に設けられた床板材とを、
有することを特徴とする浴室床上げ構造。
【請求項２】
前記浴室は浴槽の脇に排水溝および排水口を有するユニットバスから成り、
前記排水溝および前記排水口と前記洗い場との境界に前記床から立ち上がるよう設けられた区画板と、
前記浴槽と前記区画板との間に前記排水溝および前記排水口を排水可能に覆うよう設けられた複数の排水蓋とを有し、
前記樹脂モルタルは各断熱ブロックと前記区画板との隙間を埋めるよう設けられていることを、
特徴とする請求項１記載の浴室床上げ構造。
【請求項３】
前記区画板は可撓性の細長い板の一方の側縁に複数の切込みを形成して成る複数の脚を本体に対し垂直に折り曲げた形状を有し、各脚を前記床に沿わせて設置されていることを、特徴とする請求項２記載の浴室床上げ構造。
【請求項４】
各排水蓋は断面コの字型をなし、天板部と、前記天板部から同方向に垂直に伸びる１対の側板部とを有することを、特徴とする請求項３記載の浴室床上げ構造。
【請求項５】
浴槽の脇に排水溝および排水口を有する浴室の床上げ方法であって、
前記排水溝および前記排水口と前記洗い場との境界に前記床から立ち上がるよう区画板を設け、
前記洗い場の床の上に複数の断熱ブロックを配置し、
各断熱ブロックの隙間および各断熱ブロックと前記区画板との隙間を埋めるよう耐水性の樹脂モルタルを打設し、
各断熱ブロックおよび前記樹脂モルタルの上に耐水性の接着剤により樹脂製の下地板を貼り付け、
前記下地板の上に床板材を設け、
前記浴槽と前記区画板との間に前記排水溝および前記排水口を排水可能に覆うよう複数の排水蓋を設けることを、
特徴とする浴室床上げ方法。
【発明の詳細な説明】
【技術分野】
【０００１】
本発明は、浴室床上げ構造および浴室床上げ方法に関する。
【背景技術】
【０００２】
従来、既設のユニットバスなどの浴室をバリアフリーにするために、浴室の洗い場を床上げすることが行われている。その際、ユニットバスでは、既存の洗い場の床の強度が低いため、洗い場の上に新たに設ける構造をできるだけ軽くする必要がある。このことを考慮した浴室の床上げ構造として、浴室の洗い場の上にボルトなどから成る脚部を設け、その上に根太を架け渡し、その根太の上に床パネルを敷き詰めるものがある（例えば、特許文献１または２参照）。
【先行技術文献】
【特許文献】
【０００３】
【特許文献１】特開２００３−１６０９５８号公報
【特許文献２】特開２００３−１２９６４３号公報
【発明の概要】
【発明が解決しようとする課題】
【０００４】
しかしながら、特許文献１および２に記載の浴室の床上げ構造では、床パネルの下に空洞が広く存在しているため、根太がなく強度の低い場所に人が載って荷重が加わると、床パネルが破損する恐れがあるという課題があった。また、冬場などの寒い時期には、床が温まりにくく、浴室の断熱効率が悪いという課題もあった。
【０００５】
本発明は、このような課題に着目してなされたもので、強度が高く、破損しにくく、冬場でも断熱効率が良い浴室床上げ構造および浴室床上げ方法を提供することを目的としている。
【課題を解決するための手段】
【０００６】
上記目的を達成するために、本発明に係る浴室床上げ構造は、浴室の洗い場の床の上に配置された複数の断熱ブロックと、各断熱ブロックの隙間を埋めるよう設けられた耐水性の樹脂モルタルと、各断熱ブロックおよび前記樹脂モルタルの上に耐水性の接着剤により貼り付けられた樹脂製の下地板と、前記下地板の上に設けられた床板材とを、有することを特徴とする。
【０００７】
本発明に係る浴室床上げ構造は、既存の洗い場の床の上に、複数の断熱ブロックが配置され、各断熱ブロックの隙間を埋めるよう耐水性の樹脂モルタルが設けられているため、下地板および床板材の下に空洞を生じない。このため、床板材の上に人が載って荷重が加わっても、破損しにくく強度が高い。また、各断熱ブロックとして、発泡体などの軽量なものを使用することにより、既存の洗い場の床の強度が低くても耐えられるよう施工可能である。
【０００８】
床板材の下に配置された複数の断熱ブロックの断熱効果により、冬場でも床が冷えにくく、浴室の断熱効率が良い。既存の洗い場の床が各断熱ブロックおよび耐水性の樹脂モルタルで覆われ、さらに耐水性の接着剤により貼り付けられた樹脂製の下地板と、床板材とで覆われているため、元の洗い場の床に浴室の排水が入り込みにくく、防水性が高い。また、これにより、浴室内の悪臭や腐食を防止することができる。床板材の高さを、浴室の入口の高さに揃えることにより、ユニットバスなどの既設の浴室を容易かつ安価にバリアフリー仕様とすることができる。
【０００９】
下地板および床板材は、１枚から成っていても、複数枚が敷き詰められていてもよい。下地板は、複数枚からなる場合、防水性を高めるために、互いの隙間が耐水性の接着剤などで塞がれていることが好ましい。また、下地板は、複数枚からなる場合、より強度を高めるため、それぞれの境界が樹脂モルタルの上に配置されていることが好ましい。
【００１０】
本発明に係る浴室床上げ構造は、前記浴室は浴槽の脇に排水溝および排水口を有するユニットバスから成り、前記排水溝および前記排水口と前記洗い場との境界に前記床から立ち上がるよう設けられた区画板と、前記浴槽と前記区画板との間に前記排水溝および前記排水口を排水可能に覆うよう設けられた複数の排水蓋とを有し、前記樹脂モルタルは各断熱ブロックと前記区画板との隙間を埋めるよう設けられていることが好ましい。この場合、ユニットバスで、既存の排水溝および排水口を利用したまま床上げすることができる。排水蓋を着脱可能に配置することにより、排水溝および排水口の点検、掃除を容易にすることができる。樹脂モルタルで各断熱ブロックと区画板との隙間を埋めるため、防水性が高められる。
【００１１】
本発明に係る浴室床上げ構造で、前記区画板は可撓性の細長い板の一方の側縁に複数の切込みを形成して成る複数の脚を本体に対し垂直に折り曲げた形状を有し、各脚を前記床に沿わせて設置されていることが好ましい。この場合、浴槽の側面に沿って排水溝および排水口が湾曲して伸びていても、排水溝および排水口に沿って区画板を湾曲させて配置することができる。
【００１２】
本発明に係る浴室床上げ構造で、各排水蓋は断面コの字型をなし、天板部と、前記天板部から同方向に垂直に伸びる１対の側板部とを有することが好ましい。この場合、排水溝および排水口が湾曲して伸びていても、各排水蓋を所定の長さに設定しておき、浴槽と区画板との間に排水溝および排水口を覆うよう配置することができる。なお、水が流れやすいよう、浴槽や区画板と各排水蓋の各側板部との間に隙間が形成されていてもよく、天板部に排水孔が設けられていてもよい。
【００１３】
本発明に係る浴室床上げ構造で、各断熱ブロックは直方体形状の発泡体から成り、前記樹脂モルタルはセラミック質から成り、前記下地板は繊維強化プラスチックから成り、前記床板材はゴム製の化粧板から成ることが好ましい。この場合、各断熱ブロックが軽量な発泡体から成るため、既存の洗い場の床の強度が低くても耐えられるよう施工可能である。
また、樹脂モルタルに、水により固化し、乾燥が速いセラミック質のものを用いることにより、床上げの作業時間を短縮することができる。下地板が繊維強化プラスチックから成るため、軽量で強度が高められる。
【００１４】
本発明に係る浴室床上げ方法は、浴槽の脇に排水溝および排水口を有する浴室の床上げ方法であって、前記排水溝および前記排水口と前記洗い場との境界に前記床から立ち上がるよう区画板を設け、前記洗い場の床の上に複数の断熱ブロックを配置し、各断熱ブロックの隙間および各断熱ブロックと前記区画板との隙間を埋めるよう耐水性の樹脂モルタルを打設し、各断熱ブロックおよび前記樹脂モルタルの上に耐水性の接着剤により樹脂製の下地板を貼り付け、前記下地板の上に床板材を設け、前記浴槽と前記区画板との間に前記排水溝および前記排水口を排水可能に覆うよう複数の排水蓋を設けることを、特徴とする。
【００１５】
本発明に係る浴室床上げ方法によれば、本発明に係る浴室床上げ構造を容易に施工することができる。本発明に係る浴室床上げ方法では、既存の洗い場の床の上に、複数の断熱ブロックを配置し、各断熱ブロックの隙間を埋めるよう耐水性の樹脂モルタルを打設するため、その上に設ける下地板および床板材の下に空洞を生じない。このため、床板材の上に人が載って荷重が加わっても、破損しにくく強度が高い。また、各断熱ブロックとして、発泡体などの軽量なものを使用することにより、既存の洗い場の床の強度が低くても耐えられるよう施工可能である。
【００１６】
床板材の下に配置する複数の断熱ブロックの断熱効果により、冬場でも床が冷えにくく、浴室の断熱効率が良い。既存の洗い場の床を各断熱ブロックおよび耐水性の樹脂モルタルで覆い、さらに耐水性の接着剤により樹脂製の下地板を貼り付け、その上に床板材を設けるため、元の洗い場の床に浴室の排水が入り込みにくく、防水性が高い。樹脂モルタルで各断熱ブロックと区画板との隙間を埋めるため、さらに防水性が高い。また、これにより、浴室内の悪臭や腐食を防止することができる。床板材の高さを、浴室の入口の高さに揃えることにより、ユニットバスなどの既設の浴室を容易かつ安価にバリアフリー仕様とすることができる。
【００１７】
浴槽と前記区画板との間に、前記排水溝および前記排水口を覆って排水可能に複数の排水蓋を設けるため、既存の排水溝および排水口を利用したまま床上げすることができる。排水蓋を着脱可能に配置することにより、排水溝および排水口の点検、掃除を容易にすることができる。
【００１８】
下地板および床板材は、１枚であっても複数枚を敷き詰めてもよい。下地板が複数枚からなる場合、防水性を高めるために、互いの隙間を耐水性の接着剤などで塞ぐことが好ましい。また、下地板が複数枚からなる場合、より強度を高めるため、それぞれの境界を樹脂モルタルの上に配置することが好ましい。
【発明の効果】
【００１９】
本発明によれば、強度が高く、破損しにくく、冬場でも断熱効率が良い浴室床上げ構造および浴室床上げ方法を提供することができる。
【図面の簡単な説明】
【００２０】
【図１】本発明の実施の形態の浴室床上げ構造および浴室床上げ方法を示す縦断面図である。
【図２】本発明の実施の形態の浴室床上げ構造および浴室床上げ方法の平面図である。
【図３】本発明の実施の形態の浴室床上げ構造および浴室床上げ方法の区画板を示す斜視図である。
【図４】本発明の実施の形態の浴室床上げ構造および浴室床上げ方法の排水蓋を示す斜視図である。
【発明を実施するための形態】
【００２１】
以下、図面に基づき本発明の実施の形態について説明する。
図１乃至図４は、本発明の実施の形態の浴室床上げ構造および浴室床上げ方法を示している。
図１および図２に示すように、本発明の実施の形態の浴室床上げ構造は、既設の浴室の洗い場１を床上げした構造であって、断熱ブロック１１と区画板１２と樹脂モルタル１３と下地板１４と床板材１５と排水蓋１６とを有している。既設の浴室は、浴槽２の脇に排水溝３および排水口４を有した一般のユニットバスから成っている。
【００２２】
図１および図２に示すように、断熱ブロック１１は、複数から成り、それぞれ発泡体から成る直方体形状の市販の押出法ポリスチレンフォームから成っている。各断熱ブロック１１は、浴室の洗い場１の床１ａの上に、互いに隙間をあけて並べて配置されている。
【００２３】
図３に示すように、区画板１２は、複数から成り、塩化ビニル製で可撓性を有する矩形状の細長い板から成っている。各区画板１２は、一方の側縁に他方の側縁に向かって伸びるよう設けられた複数の切込み１２ａを有している。各区画板１２は、各切込み１２ａと両端とで区分される複数の脚１２ｂを、本体の一方の面に対して垂直になるよう、一方の面側に折り曲げて形成されている。なお、各区画板１２は、各脚１２ｂのいくつかが本体の他方の面に対して垂直になるよう、他方の面側に折り曲げられていてもよい。各区画板１２は、各脚１２ｂの折り曲げ方向や、各切込み１２ａの間隔を変えることにより、いずれの面側にも湾曲可能になっている。
【００２４】
図１および図２に示すように、各区画板１２は、浴室の浴槽２の脇の排水溝３および排水口４に沿って、排水溝３および排水口４と洗い場１との境界に床１ａから立ち上がるよう並べて配置されている。各区画板１２は、折り曲げた各脚１２ｂを、床１ａに沿って設置することにより、床１ａに対して垂直上方に立ち上がるよう設けられている。各区画板１２は、排水溝３および排水口４と洗い場１とを隔てるよう設けられている。また、各区画板１２は、排水溝３および排水口４の側の面が化粧加工されている。
【００２５】
樹脂モルタル１３は、耐水性で、水により固化し、乾燥が速い、市販のセラミック質の樹脂モルタルから成っている。樹脂モルタル１３は、各断熱ブロック１１の隙間、各断熱ブロック１１と各区画板１２との隙間、および各断熱ブロック１１と浴室の壁面との隙間を埋めるよう設けられている。
【００２６】
図１に示すように、下地板１４は、軽量で強度が高い、複数の繊維強化プラスチックの板から成っている。各下地板１４は、各区画板１２の洗い場１の側の各断熱ブロック１１および樹脂モルタル１３の上に、耐水性の接着剤により貼り付けられ、敷き詰められている。各下地板１４は、それぞれの境界が樹脂モルタル１３の上に配置されており、互いの隙間が耐水性の接着剤で塞がれている。
【００２７】
床板材１５は、複数の市販のゴム製の化粧板から成っている。各床板材１５は、各区画板１２の洗い場１の側の下地板１４の上に、耐水性の接着剤により貼り付けられ、敷き詰められている。各床板材１５は、それぞれの境界が下地板１４の境界と直交するよう配置されており、互いの隙間が耐水性の接着剤で塞がれている。
【００２８】
図４に示すように、排水蓋１６は、プラスチック製で複数から成り、断面コの字型をなしている。各排水蓋１６は、矩形状の天板部１６ａと、天板部１６ａの両側縁に沿って、天板部１６ａに対して同方向に垂直に伸びるよう設けられた１対の側板部１６ｂとを有している。各排水蓋１６は、天板部１６ａに、水を流すための排水孔１６ｃを複数有している。各排水蓋１６は、浴槽２と区画板１２との間隔よりやや狭い幅と、所定の長さとを有している。なお、具体的な一例では、各排水蓋１６は同じ形状を成し、各排水蓋１６の長さと幅と高さの比は、２：１：１である。
【００２９】
図１および図２に示すように、各排水蓋１６は、浴槽２と区画板１２との間に、排水溝３および排水口４を覆うよう、並べて配置されている。各排水蓋１６は、各側板部１６ｂを下に向けて天板部１６ａを上にした状態で、浴槽２の側面と区画板１２との間に配置されている。各排水蓋１６は、浴槽２の側面と各側板部１６ｂとの間や、区画板１２と各側板部１６ｂとの間、各排水蓋１６の間に隙間があいており、この隙間からも水が流れるようになっている。
【００３０】
本発明の実施の形態の浴室床上げ構造は、本発明の実施の形態の浴室床上げ方法により容易に施工される。本発明の実施の形態の浴室床上げ方法では、まず、浴室の浴槽２の脇の排水溝３および排水口４に沿って、排水溝３および排水口４と洗い場１との境界に、洗い場１の床１ａに対して垂直上方に立ち上がるよう各区画板１２を設ける。このとき、図２に示すように、浴槽２の側面が湾曲し、排水溝３および排水口４が湾曲して伸びていても、各区画板１２が可撓性を有して湾曲可能であるため、排水溝３および排水口４に沿って各区画板１２を湾曲させて配置することができる。なお、各区画板１２の長さが合わないときは、各区画板１２を切断して長さを調整する。
【００３１】
各区画板１２で隔てられた洗い場１の床１ａの上に、複数の断熱ブロック１１を並べて配置する。このとき、各断熱ブロック１１として軽量の発泡体を使用するため、既存の洗い場１の床１ａの強度が低くても耐えられるよう施工可能である。次に、各断熱ブロック１１の隙間、各断熱ブロック１１と各区画板１２との隙間、および各断熱ブロック１１と浴室の壁面との隙間を埋めるよう樹脂モルタル１３を打設する。樹脂モルタル１３が、水により固化し、乾燥が速いセラミック質の樹脂モルタルから成るため、作業時間を短縮することができる。
【００３２】
樹脂モルタル１３を打設した後、各断熱ブロック１１および樹脂モルタル１３の上に、複数の下地板１４を敷き詰めて、耐水性の接着剤により貼り付ける。このとき、より強度を高めるために、各下地板１４の境界を樹脂モルタル１３の上に配置する。また、防水性を高めるために、各下地板１４の互いの隙間を耐水性の接着剤で塞ぐ。
【００３３】
各下地板１４を貼り付けた後、各下地板１４の上に複数の床板材１５を敷き詰めて、耐水性の接着剤により貼り付ける。このとき、より強度を高めるために、各床板材１５の境界を各下地板１４の境界と直交するよう配置する。また、防水性を高めるために、各床板材１５の互いの隙間を耐水性の接着剤で塞ぐ。
【００３４】
浴槽２と区画板１２との間に、排水溝３および排水口４を覆うよう複数の排水蓋１６を並べて配置する。このとき、浴槽２の側面と各側板部１６ｂとの間や、区画板１２と各側板部１６ｂとの間、各排水蓋１６の間に隙間があくため、排水孔１６ｃから水が流れるとともに、この隙間からも水が流れる。これにより、既存の排水溝３および排水口４を利用したまま床上げすることができる。また、排水蓋１６を着脱することにより、排水溝３および排水口４を容易に点検、掃除することができる。所定の長さで同じ形状の複数の排水蓋１６を並べて配置するため、浴槽２の側面と区画板１２との間の排水溝３および排水口４が真っ直ぐに伸びていても、図２に示すように湾曲して伸びていても、排水溝３および排水口４の上方を覆って、浴槽２の側面と区画板１２との間に配置することができる。なお、各排水蓋１６の長さが合わないときは、排水蓋１６を切断して長さを調整することができる。
【００３５】
本発明の実施の形態の浴室床上げ構造および浴室床上げ方法では、既存の洗い場１の床１ａの上に、複数の断熱ブロック１１を並べて配置し、各断熱ブロック１１の隙間等を埋めるよう耐水性の樹脂モルタル１３を打設するため、その上に設ける下地板１４および床板材１５の下に空洞が存在しない。このため、床板材１５の上に人が載って荷重が加わっても、破損しにくく強度が高い。
【００３６】
床板材１５の下に配置する複数の断熱ブロック１１の断熱効果により、冬場でも床が冷えにくく、浴室の断熱効率が良い。既存の洗い場１の床１ａを各断熱ブロック１１および耐水性の樹脂モルタル１３で覆い、さらに耐水性の接着剤により樹脂製の下地板１４および床板材１５を貼り付けるため、元の洗い場１の床１ａに浴室の排水が入り込むのを防ぐことができ、防水性が高い。樹脂モルタル１３で各断熱ブロック１１と区画板１２との隙間を埋めるため、さらに防水性が高い。また、これにより、浴室内の悪臭や腐食を防止することができる。床板材１５の高さを、浴室の入口の高さに揃えることにより、ユニットバスなどの既設の浴室を容易かつ安価にバリアフリー仕様とすることができる。
【符号の説明】
【００３７】
１  洗い場
１ａ  床
２  浴槽
３  排水溝
４  排水口
１１  断熱ブロック
１２  区画板
１２ａ  切込み
１２ｂ  脚
１３  樹脂モルタル
１４  下地板
１５  床板材
１６  排水蓋
１６ａ  天板部
１６ｂ  側板部
【図１】
2010285833.tif 000003
【図２】
2010285833.tif 000004
【図３】
2010285833.tif 000005
【図４】
2010285833.tif 000006